(57)【要約】【課題】数字による金額表記を英語やその他の言語での表記に変換できるようにする。【解決手段】本実施形態では、制御部は、金額整数部分に金額を表す数字を設定し、金額桁数に数字の長さを設定する設定手段と、金額桁数に設定した数字の長さに基づき、数字を３桁ごとに分解する分解手段と、数字、桁数、および言語表記が紐づけられた変換テーブルを参照し、分解して得られた３桁の数字をそれぞれ文字に変換する変換手段と、変換された文字を結合する結合手段と、を含む。【選択図】図１
2020067886.tif 000002
【特許請求の範囲】
【請求項１】
数字による金額表記を所望の言語での表記に変換する制御部と、
数字、桁数、および言語表記が紐づけられた変換テーブルを記憶する記憶部と、を備え、
前記制御部は、
金額整数部分に金額を表す数字を設定し、金額桁数に前記数字の長さを設定する設定手段と、
前記金額桁数に設定した前記数字の長さに基づき、前記数字を３桁ごとに分解する分解手段と、
前記変換テーブルを参照し、分解して得られた３桁の前記数字をそれぞれ文字に変換する変換手段と、
変換された前記文字を結合する結合手段と、を含む、
ことを特徴とする変換装置。
【請求項２】
前記設定手段は、
前記金額整数部分に設定した前記金額を表す前記数字が整数でない場合には、金額小数部分に前記金額の小数部分の数字を設定し、
前記分解手段は、
前記小数部分の数字を除く前記数字を３桁ごとに分解する、
ことを特徴とする請求項１に記載の変換装置。
【請求項３】
前記変換テーブルには、
１から９９までの数字が個別に前記言語表記に紐づけられている、
ことを特徴とする請求項１または請求項２に記載の変換装置。
【請求項４】
数字による金額表記を所望の言語での表記に変換する変換方法であって、
金額整数部分に金額を表す数字を設定し、金額桁数に前記数字の長さを設定する設定ステップと、
前記金額桁数に設定した前記数字の長さに基づき、前記数字を３桁ごとに分解する分解ステップと、
数字、桁数、および言語表記が紐づけられた変換テーブルを参照し、分解して得られた３桁の前記数字をそれぞれ文字に変換する変換ステップと、
変換された前記文字を結合する結合ステップと、を含む、
ことを特徴とする変換方法。
【請求項５】
数字による金額表記を所望の言語での表記に変換する制御部と、
数字、桁数、および言語表記が紐づけられた変換テーブルを記憶する記憶部と、を備える変換装置で実行させるための変換プログラムであって、
金額整数部分に金額を表す数字を設定し、金額桁数に前記数字の長さを設定する設定ステップと、
前記金額桁数に設定した前記数字の長さに基づき、前記数字を３桁ごとに分解する分解ステップと、
前記変換テーブルを参照し、分解して得られた３桁の前記数字をそれぞれ文字に変換する変換ステップと、
変換された前記文字を結合する結合ステップと、を含む、
ことを特徴とする変換プログラム。
【発明の詳細な説明】
【技術分野】
【０００１】
本発明は、変換装置、変換方法、および変換プログラムに関する。
【背景技術】
【０００２】
特許文献１には、通貨の略称及び数字による金額を入力すると、通貨の正式名称と、補助通貨を含む金額の英語表記とを表示する電子フォームモジュールが開示されている。電子フォームモジュールは、金額を表す数字、単位テーブル及び数字テーブルに基づいて、金額の単位の言語表記及び金額を表す数字の言語表記を特定し表示する。
【先行技術文献】
【特許文献】
【０００３】
【特許文献１】特開２００６−２６００４３号公報
【発明の概要】
【発明が解決しようとする課題】
【０００４】
しかしながら、上記技術において、数字テーブルで定義される数字は、２０〜１００までの間が１０刻みとなっており、スペイン語などのように語尾変化を伴う言語に対応することができない。
【０００５】
本発明は、上記に鑑みてなされたものであって、数字による金額表記を英語やその他の言語での表記に変換可能な変換装置、変換方法、および変換プログラムを提供することを目的とする。
【課題を解決するための手段】
【０００６】
上述した課題を解決し、目的を達成するために、本発明にかかる変換装置は、数字による金額表記を所望の言語での表記に変換する制御部と、数字、桁数、および言語表記が紐づけられた変換テーブルを記憶する記憶部と、を備え、前記制御部は、金額整数部分に金額を表す数字を設定し、金額桁数に前記数字の長さを設定する設定手段と、前記金額桁数に設定した前記数字の長さに基づき、前記数字を３桁ごとに分解する分解手段と、前記変換テーブルを参照し、分解して得られた３桁の前記数字をそれぞれ文字に変換する変換手段と、変換された前記文字を結合する結合手段と、を含む。
【０００７】
また、本発明にかかる変換装置は、前記設定手段が、前記金額整数部分に設定した前記金額を表す前記数字が整数でない場合には、金額小数部分に前記金額の小数部分の数字を設定し、前記分解手段は、前記小数部分の数字を除く前記数字を３桁ごとに分解する。
【０００８】
また、本発明にかかる変換装置は、前記変換テーブルに、１から９９までの数字が個別に前記言語表記に紐づけられている。
【０００９】
また、本発明にかかる変換方法は、数字による金額表記を所望の言語での表記に変換する変換方法であって、金額整数部分に金額を表す数字を設定し、金額桁数に前記数字の長さを設定する設定ステップと、前記金額桁数に設定した前記数字の長さに基づき、前記数字を３桁ごとに分解する分解ステップと、数字、桁数、および言語表記が紐づけられた変換テーブルを参照し、分解して得られた３桁の前記数字をそれぞれ文字に変換する変換ステップと、変換された前記文字を結合する結合ステップと、を含む。
【００１０】
また、本発明にかかる変換プログラムは、数字による金額表記を所望の言語での表記に変換する制御部と、数字、桁数、および言語表記が紐づけられた変換テーブルを記憶する記憶部と、を備える変換装置で実行させるための変換プログラムであって、金額整数部分に金額を表す数字を設定し、金額桁数に前記数字の長さを設定する設定ステップと、前記金額桁数に設定した前記数字の長さに基づき、前記数字を３桁ごとに分解する分解ステップと、前記変換テーブルを参照し、分解して得られた３桁の前記数字をそれぞれ文字に変換する変換ステップと、変換された前記文字を結合する結合ステップと、を含む。
【発明の効果】
【００１１】
本発明によれば、数字による金額表記を英語やその他の言語での表記に変換できるという効果を奏する。
【図面の簡単な説明】
【００１２】
【図１】図１は、実施形態にかかる変換装置の構成の一例を示すブロック図である。
【図２】図２は、実施形態にかかる変換装置が備える英語表記への変換に用いられる変換テーブルの一例を示す図である。
【図３】図３は、実施形態にかかる変換装置が備えるスペイン語表記への変換に用いられる変換テーブルの一例を示す図である。
【図４】図４は、実施形態にかかる変換装置で実行される処理の手順の一例を示すフロー図である。
【発明を実施するための形態】
【００１３】
本発明にかかる変換装置、変換方法、および変換プログラムの実施形態を、図面に基づいて詳細に説明する。なお、本発明は、この実施形態により限定されるものではない。
【００１４】
［１．構成］
本実施形態にかかる変換装置１００の構成の一例について、図１を参照して説明する。図１は、実施形態にかかる変換装置１００の構成の一例を示すブロック図である。
【００１５】
変換装置１００は、例えば、市販のデスクトップ型パーソナルコンピュータである。ただし、変換装置１００は、デスクトップ型パーソナルコンピュータのような据置型情報処理装置に限らず、市販されているノート型パーソナルコンピュータ、ＰＤＡ（Ｐｅｒｓｏｎａｌ  Ｄｉｇｉｔａｌ  Ａｓｓｉｓｔａｎｔｓ）、スマートフォン、タブレット型パーソナルコンピュータなどの携帯型情報処理装置であってもよい。
【００１６】
輸出代金決済のため、輸出者が振り出す手形として荷為替手形がある。この荷為替手形には、額面金額を数字ではなく英語等の言語で表記する必要がある。変換装置１００は、入力されたインボイスの数字による金額を英語等の言語表記に変換して印字する。かかる機能を実現するため、変換装置１００は、制御部１０２と通信インターフェース部１０４と記憶部１０６と入出力インターフェース部１０８と、を備えている。変換装置１００が備える各部は、任意の通信路を介して通信可能に接続されている。
【００１７】
通信インターフェース部１０４は、ルータ等の通信装置および専用線等の有線又は無線の通信回線を介して、変換装置１００をネットワーク３００に通信可能に接続する。通信インターフェース部１０４は、他の装置と通信回線を介してデータを通信する機能を有する。ここで、ネットワーク３００は、変換装置１００とサーバ装置２００とを相互に通信可能に接続する機能を有し、例えばインターネットやＬＡＮ（Ｌｏｃａｌ  Ａｒｅａ  Ｎｅｔｗｏｒｋ）等である。
【００１８】
入出力インターフェース部１０８には、入力装置１１２および出力装置１１４が接続されている。出力装置１１４には、家庭用テレビを含むモニタの他、スピーカやプリンタを用いることができる。入力装置１１２には、キーボード、マウス、およびマイクの他、マウスと協働してポインティングデバイス機能を実現するモニタを用いることができる。
【００１９】
制御部１０２は、変換装置１００を統括的に制御するＣＰＵ等である。制御部１０２は、ＯＳ等の制御プログラムや各種の処理手順等を規定したプログラム、所要データなどを格納するための内部メモリを有し、格納されているこれらのプログラムに基づいて種々の情報処理を実行する。ここで、制御部１０２は、機能概念的に、設定部１０２ａ、分解部１０２ｂ、変換部１０２ｃ、及び結合部１０２ｄを備えている。
【００２０】
制御部１０２の内部メモリに格納されるプログラムにおいては、＠金額整数部分、＠金額小数部分、＠金額桁数等が設定可能に構成される。設定部１０２ａは、インボイスに入力された金額を示す数字の対応するデータを、＠金額整数部分、＠金額小数部分、＠金額桁数等にそれぞれ設定する。各データ名に付された「＠」は変数を示す記号である。＠金額桁数の最大値は例えば１５桁である。ただし、＠金額桁数の最大値は１５桁未満であってもよい。
【００２１】
分解部１０２ｂは、＠金額桁数に設定された数値に基づき、＠金額の数字を３桁ごとに分解する。つまり、分解部１０２ｂは、最大１５桁の数字に対して、下３桁、下４桁〜６桁、下７桁〜９桁、下１０桁〜１２桁、下１３桁〜１５桁のそれぞれの数字を取得する。
【００２２】
変換部１０２ｃは、分解して得られた３桁の数字をそれぞれ文字に変換する。このとき、変換部１０２ｃは、後述する記憶部１０６が記憶する変換テーブル１０６ａを参照する。これにより、最大１５桁の数字に対して、下３桁、下４桁〜６桁、下７桁〜９桁、下１０桁〜１２桁、下１３桁〜１５桁のそれぞれの数字が文字に変換される。
【００２３】
結合部１０２ｄは、３桁ごとの数字に対応して変換された文字を結合する。このようにして数字から所定の言語へと変換された金額の表記は、例えば入出力インターフェース部１０８を介して出力装置１１４から出力される。
【００２４】
記憶部１０６には、各種のデータベース、テーブル、およびファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラムが記録される。記憶部１０６として、例えば、ＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）等のメモリ装置、ハードディスクのような固定ディスク装置、フレキシブルディスク、および光ディスク等を用いることができる。ここで、記憶部１０６は、変換テーブル１０６ａを備えている。
【００２５】
図２は、実施形態にかかる変換装置１００が備える英語表記への変換に用いられる変換テーブル１０６ａの一例を示す図である。図３は、実施形態にかかる変換装置１００が備えるスペイン語表記への変換に用いられる変換テーブル１０６ａの一例を示す図である。
【００２６】
図２及び図３に示すように、変換テーブル１０６ａには、数字と、桁数と、言語表記（文字）とが相互に紐づけられている。１〜９９までの数字は桁数区分１に区分され、言語表記に個別に紐づけられている。これ以降、桁数が３桁繰り上がるごとに桁数区分２〜６が振り分けられ、その桁数の数字に付与されるべき単位を表す言語が紐づけられている。
【００２７】
すなわち、図２の英語表記を例に取ると、３桁の数字（１００〜９９９）であれば“ｈｕｎｄｒｅｄ”に、４桁〜６桁の数字（１千〜９９９千）であれば“ｔｈｏｕｓａｎｄ”に、７桁〜９桁の数字（１００万〜９９９００万）であれば“ｍｉｌｌｉｏｎ”に、１０桁〜１２桁の数字（１０億〜９９９０億）であれば“ｂｉｌｌｉｏｎ”に、１３桁〜１５桁の数字（１兆〜９９９兆）であれば“ｔｒｉｌｌｉｏｎ”に、それぞれ紐づけられている。
【００２８】
［２．具体例］
図２を例に、所定の数字を英語表記に変換する場合の詳細について説明する。
【００２９】
インボイスに、金額を示す数字として例えばＵＳＤ１２３４５６７８９０１２３４５．２５（１２３兆４５６７億８９０１万２千３４５．２５米ドル）が入力されたものとする。
【００３０】
設定部１０２ａは、＠金額整数部分に引数としての＠金額である「１２３４５６７８９０１２３４５．２５」を設定する。ただし、＠金額が整数ではないので、設定部１０２ａは、＠金額小数部分に上記の＠金額の小数点以下の数字である「２５」を設定する。さらに、設定部１０２ａは、＠金額桁数に＠金額整数部分の数字（ここでは、小数点以下を除く「１２３４５６７８９０１２３４５」）の長さ（桁数）である「１５」を設定する。なお、＠金額整数部分の数字の長さが１５を超えるときはエラー終了される。＠金額整数部分の数字の長さは、数字を文字列に変換して文字数をカウントすることにより得られる。
【００３１】
分解部１０２ｂは、＠金額整数部分の数字の長さに基づき、＠金額の数字を３桁ごとに分解する。先の数字は、「１２３」「４５６」「７８９」「０１２」「３４５」の５つに分解される。なお、＠金額整数部分の数字の長さは３で割り切れない桁数であっても構わない。例えば、１３ケタの数字「１２３４５６７８９０１２３」であれば、「１」「２３４」「５６７」「８９０」「１２３」の５つに分解される。例えば、１１桁の数字「１２３４５６７８９０１」であれば、「１２」「３４５」「６７８」「９０１」の４つに分解される。
【００３２】
変換部１０２ｃは、分解して得られた３桁の数字をそれぞれ文字に変換する。このとき、変換部１０２ｃは、記憶部１０６が記憶する変換テーブル１０６ａを参照する。
【００３３】
下３桁の数字「３４５」について、変換部１０２ｃは、先頭の数字「３」の英語表記“ｔｈｒｅｅ”を桁数区分１より取得する。また、変換部１０２ｃは、先頭の数字「３」に付与されるべき単位を表す英語表記“ｈｕｎｄｒｅｄ”を桁数区分２より取得する。また、変換部１０２ｃは、下２桁「４５」の英語表記“ｆｏｕｒｔｙ−ｆｉｖｅ”を桁数区分１より取得する。これらにより、下３桁の数字「３４５」について、英語表記“ｔｈｒｅｅ  ｈｕｎｄｒｅｄ  ｆｏｕｒｔｙ−ｆｉｖｅ”が得られる。
【００３４】
下４桁〜６桁の数字「０１２」について、変換部１０２ｃは、桁数区分１より先頭の数字「０」の英語表記の取得を試みる。ここで、先頭の数字「０」は該当なしである。桁数区分２より先頭の数字「０」に付与されるべき単位を表す英語表記は“ｈｕｎｄｒｅｄ”であるが、先頭の数字が「０」であるのでここでは付与されない。また、変換部１０２ｃは、下４桁〜６桁の数字「０１２」の下２桁「１２」の英語表記“ｔｗｅｌｖｅ”を桁数区分１より取得する。また、変換部１０２ｃは、下４桁〜６桁までの数字に付与されるべき単位を表す英語表記“ｔｈｏｕｓａｎｄ”を桁数区分３より取得する。これらにより、下４桁〜６桁の数字「０１２」について、英語表記“ｔｗｅｌｖｅ  ｔｈｏｕｓａｎｄ”が得られる。
【００３５】
下７桁〜９桁の数字「７８９」について、変換部１０２ｃは、先頭の数字「７」の英語表記“ｓｅｖｅｎ”を桁数区分１より取得する。また、変換部１０２ｃは、先頭の数字「７」に付与されるべき単位を表す英語表記“ｈｕｎｄｒｅｄ”を桁数区分２より取得する。また、変換部１０２ｃは、下７桁〜９桁の数字「７８９」の下２桁「８９」の英語表記“ｅｉｇｈｔｙ−ｎｉｎｅ”を桁数区分１より取得する。また、変換部１０２ｃは、下７桁〜９桁までの数字に付与されるべき単位を表す英語表記“ｍｉｌｌｉｏｎ”を桁数区分４より取得する。これらにより、下７桁〜９桁の数字「７８９」について、英語表記“ｓｅｖｅｎ  ｈｕｎｄｒｅｄ  ｅｉｇｈｔｙ−ｎｉｎｅ  ｍｉｌｌｉｏｎ”が得られる。
【００３６】
下１０桁〜１２桁の数字「４５６」について、変換部１０２ｃは、先頭の数字「４」の英語表記“ｆｏｕｒ”を桁数区分１より取得する。また、変換部１０２ｃは、先頭の数字「４」に付与されるべき単位を表す英語表記“ｈｕｎｄｒｅｄ”を桁数区分２より取得する。また、変換部１０２ｃは、下１０桁〜１２桁の数字「４５６」の下２桁「５６」の英語表記“ｆｉｆｔｙ−ｓｉｘ”を桁数区分１より取得する。また、変換部１０２ｃは、下１０桁〜１２桁までの数字に付与されるべき単位を表す英語表記“ｂｉｌｌｉｏｎ”を桁数区分５より取得する。これらにより、下１０桁〜１２桁の数字「４５６」について、英語表記“ｆｏｕｒ  ｈｕｎｄｒｅｄ  ｆｉｆｔｙ−ｓｉｘ  ｂｉｌｌｉｏｎ”が得られる。
【００３７】
下１３桁〜１５桁の数字「１２３」について、変換部１０２ｃは、先頭の数字「１」の英語表記“ｏｎｅ”を桁数区分１より取得する。また、変換部１０２ｃは、先頭の数字「１」に付与されるべき単位を表す英語表記“ｈｕｎｄｒｅｄ”を桁数区分２より取得する。また、変換部１０２ｃは、下１３桁〜１５桁の数字「１２３」の下２桁「２３」の英語表記“ｔｗｅｎｔｙ−ｔｈｒｅｅ”を桁数区分１より取得する。また、変換部１０２ｃは、下１３桁〜１５桁までの数字に付与されるべき単位を表す英語表記“ｔｒｉｌｌｉｏｎ”を桁数区分６より取得する。これらにより、下１３桁〜１５桁の数字「１２３」について、英語表記“ｏｎｅ  ｈｕｎｄｒｅｄ  ｔｗｅｎｔｙ−ｔｈｒｅｅ  ｔｒｉｌｌｉｏｎ”が得られる。
【００３８】
結合部１０２ｄは、以上のように得られた３桁の数字ごとの英語表記を１つに結合する。このとき、結合部１０２ｄは、インボイスに入力された通貨単位に基づき、英語表記の先頭に通貨単位を付与する。結合部１０２ｄは更に、先頭の文字を大文字に変換してもよい。これにより、インボイスに入力されたＵＳＤ１２３４５６７８９０１２３４５．２５は、「ＵＳＤ  Ｏｎｅ  ｈｕｎｄｒｅｄ  ｔｗｅｎｔｙ−ｔｈｒｅｅ  ｔｒｉｌｌｉｏｎ  ｆｏｕｒ  ｈｕｎｄｒｅｄ  ｆｉｆｔｙ−ｓｉｘ  ｂｉｌｌｉｏｎ  ｓｅｖｅｎ  ｈｕｎｄｒｅｄ  ｅｉｇｈｔｙ−ｎｉｎｅ  ｍｉｌｌｉｏｎ  ｔｗｅｌｖｅ  ｔｈｏｕｓａｎｄ  ｔｈｒｅｅ  ｈｕｎｄｒｅｄ  ｆｏｕｒｔｙ−ｆｉｖｅ．２５」と変換される。
【００３９】
［３．処理］
上述した構成の変換装置１００で実行される処理の一例について、図４を参照して説明する。図４は、実施形態にかかる変換装置１００で実行される処理の手順の一例を示すフロー図である。
【００４０】
ユーザのインボイスへの入力等により金額を示す数字が取得されると、図４に示すように、設定部１０２ａは、＠金額整数部分に引数として＠金額の数値を設定する（ステップＳ１）。設定部１０２ａは、＠金額が整数でないときは（ステップＳ２：Ｙｅｓ）、＠金額小数部分に＠金額の小数部分の数字を設定する（ステップＳ３）。＠金額が整数であるときは（ステップＳ２：Ｎｏ）ステップＳ４に移行する。
【００４１】
設定部１０２ａは、＠金額桁数に＠金額整数部分の数値の長さを設定する（ステップＳ４）。＠金額桁数が１５を超えるとき（ステップＳ５：Ｙｅｓ）、制御部１０２は処理をエラー終了する。
【００４２】
＠金額桁数が１５以下であるときは（ステップＳ５：Ｎｏ）、分解部１０２ｂは、＠金額の数字を３桁ごとに分解する（ステップＳ６）。変換部１０２ｃは、変換テーブル１０６ａを参照し、分解して得られた３桁の数字をそれぞれ文字に変換する（ステップＳ７）。結合部１０２ｄは、３桁の数字が変換された文字を結合し、通貨単位を付与し、例えば先頭文字を大文字にする（ステップＳ８）。
【００４３】
以上により、変換装置１００で実行される処理が終了する。
【００４４】
［４．実施形態の効果］
荷為替手形に表記する額面金額は、数字ではなく英語やスペイン語等の言語により表記されなければならない。既存の仕組みでは例えば手書きで対応しており、手間がかかったり誤記が生じたりしていた。
【００４５】
特許文献１においては、電子フォームモジュールが、金額を表す数字、単位テーブル及び数字テーブルに基づいて、金額の単位の言語表記及び金額を表す数字の言語表記を特定し表示する。しかしながら、単位テーブルと数字テーブルとの２つのテーブルに基づく言語への変換体系は非常に複雑であり、また、言語体系も英語に特化したものとなっており汎用性が無い。
【００４６】
実施形態の変換装置１００においては、数字、桁数、および言語表記が紐づけられた変換テーブルを用いる。これにより、簡便な変換体系によって、数字による金額表記を英語やその他の言語での表記に変換が可能となる。
【００４７】
実施形態の変換装置１００においては、変換テーブルに、１から９９までの数字が個別に言語表記に紐づけられている。これにより、スペイン語等の１００以下の数字で語尾変換が行われるような言語体系にも、実施形態の手法を適用することが可能となる。
【００４８】
［５．他の実施形態］
本発明は、上述した実施形態以外にも、特許請求の範囲に記載した技術的思想の範囲内において種々の異なる実施形態にて実施されてよい。
【００４９】
例えば、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００５０】
また、本明細書中や図面中で示した処理手順、制御手順、具体的名称、各処理の登録データや検索条件等のパラメータを含む情報、画面例、データベース構成については、特記する場合を除いて任意に変更することができる。
【００５１】
また、変換装置１００に関して、図示の各構成要素は機能概念的なものであり、必ずしも物理的に図示の如く構成されていることを要しない。
【００５２】
例えば、変換装置１００が備える処理機能、特に制御部１０２にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、本実施形態で説明した処理を情報処理装置に実行させるためのプログラム化された命令を含む一時的でないコンピュータ読み取り可能な記録媒体に記録されており、必要に変換装置１００に機械的に読み取られる。すなわち、ＲＯＭまたはＨＤＤ（Ｈａｒｄ  Ｄｉｓｋ  Ｄｒｉｖｅ）などの記憶部などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部１０２を構成する。
【００５３】
また、このコンピュータプログラムは、変換装置１００に対して任意のネットワークを介して接続されたアプリケーションプログラムサーバに記憶されていてもよく、必要に応じてその全部または一部をダウンロードすることも可能である。
【００５４】
また、本実施形態で説明した処理を実行するためのプログラムを、一時的でないコンピュータ読み取り可能な記録媒体に格納してもよく、また、プログラム製品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（登録商標）（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ（登録商標）  Ｄｉｓｃ等の任意の「可搬用の物理媒体」を含むものとする。
【００５５】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、実施形態に示した各装置において記録媒体を読み取るための具体的な構成および読み取り手順ならびに読み取り後のインストール手順等については、周知の構成や手順を用いることができる。
【００５６】
記憶部１０６に格納される各種のデータベース等は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【００５７】
また、変換装置１００は、既知のパーソナルコンピュータまたはワークステーション等の情報処理装置として構成してもよく、また、任意の周辺装置が接続された当該情報処理装置として構成してもよい。また、変換装置１００は、当該情報処理装置に本実施形態で説明した処理を実現させるソフトウェア（プログラムまたはデータ等を含む）を実装することにより実現してもよい。
【００５８】
さらに、装置の分散・統合の具体的形態は図示するものに限られず、その全部または一部を、各種の付加等に応じてまたは機能付加に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【００５９】
本発明は、荷為替手形を取り扱う輸出入の業界のみならず他の為替手形に基づく商取引が行われる業界全般において有用である。
【符号の説明】
【００６０】
１００  変換装置
１０２  制御部
１０２ａ  設定部
１０２ｂ  分解部
１０２ｃ  変換部
１０２ｄ  結合部
１０４  通信インターフェース部
１０６  記憶部
１０６ａ  変換テーブル
１０８  入出力インターフェース部
１１２  入力装置
１１４  出力装置
２００  サーバ
３００  ネットワーク
【図１】
2020067886.tif 000003
【図２】
2020067886.tif 000004
【図３】
2020067886.tif 000005
【図４】
2020067886.tif 000006